(57)【特許請求の範囲】
【請求項１】
機関砲弾の一部を把持し且つ一部に半径方向の膨出部を形成すると共に該膨出部に沿って凹溝を形成した把持部材と、前記膨出部と対応する形状に形成され凹溝に嵌合する突条を設けた連結部材とを有し、前記連結部材を把持部材の外側で且つ膨出と対向する位置に取り付けて構成した機関砲弾に適用する連結リンクであって、前記把持部材の膨出部に沿って形成された凹溝の上部に規制部材を配置し、該凹溝に連結部材の突条を嵌合させたとき、前記規制部材が連結部材と係合して該連結部材の移動方向を周方向に規制するように構成したことを特徴とする機関砲弾に適用する連結リンク。
【発明の詳細な説明】
【０００１】
【産業上の利用分野】
本発明は、多数の機関砲弾を一定の間隔で整列させる際に用いられる機関砲弾に適用する連結リンクに関するものである。
【０００２】
【従来の技術】
機関砲の射撃を行なう場合、或いは機関砲のガンドラムに砲弾を搭載する場合、多数の砲弾は予め一定の方向に配列され且つ一定の間隔で整列した状態で機関砲或いはガンドラムに供給される。砲弾の整列状態を維持して機関砲或いはガンドラムに供給する場合、図６に示すように構成された連結リンクが用いられることがある。
【０００３】
上記連結リンク51は、図示しない砲弾の一部（薬莢）を把持するために半円状に形成され且つ所定位置に膨出部52ａを形成した把持部材52と、把持部材52の外側であって膨出部52ａと対向し得る位置に取り付けられた連結部材53とによって構成されている。
【０００４】
即ち、連結リンク51は把持部材52と連結部材53とからなる独立したリンクとして構成されている。そして連結部材53を隣接する他の連結リンク51の把持部材52に形成した膨出部52ａに順次係合させることで所定数の連結リンク51からなる連鎖を形成し、個々の連結リンク51の把持部材52によって一定の方向に配列させた砲弾を把持することで、これらの砲弾を一定の間隔に保持し得るように構成されている。
【０００５】
砲弾は連鎖状に連結された連結リンク51の把持部材52に把持された状態で機関砲或いはガンドラムに供給される。機関砲による射撃後、或いは機関砲のガンドラムに砲弾を搭載した後、連結リンク51は排出されて回収ケースに回収され、新たな砲弾を装着するために砲弾の払出工程に搬送される。
【０００６】
【発明が解決しようとする課題】
上記連結リンクでは、連結部材が他の連結リンクに形成された膨出部に載置されるように係合して連結するため、射撃後或いはガンドラムに搭載した後排出されて回収ケースに回収されるまでの間に連結部材と膨出部との係合が解除され、多数の連結リンクが夫々独立した状態で回収される。即ち、個々の連結リンクは姿勢が管理されない状態で回収される。
【０００７】
このため、回収された多数の連結リンクが相互に複雑に絡み合うことが多く、再度使用する際には絡み合った連結リンクをほぐす作業が必要となり、特に連結リンクの絡み合いには法則性が存在しないため、機械化することが出来ず、人手に頼らざるを得ないという問題がある。
【０００８】
本発明の目的は、連鎖状に連結した連結リンクが排出された場合であっても連結部材と膨出部とが係合状態を維持しうる機関砲弾に適用する連結リンクを提供することにある。
【０００９】
【課題を解決するための手段】
上記課題を解決するために本発明に係る機関砲弾に適用する連結リンクは、機関砲弾の一部を把持し且つ一部に半径方向の膨出部を形成すると共に該膨出部に沿って凹溝を形成した把持部材と、前記膨出部と対応する形状に形成され凹溝に嵌合する突条を設けた連結部材とを有し、前記連結部材を把持部材の外側で且つ膨出と対向する位置に取り付けて構成した機関砲弾に適用する連結リンクであって、前記把持部材の膨出部に沿って形成された凹溝の上部に規制部材を配置し、該凹溝に連結部材の突条を嵌合させたとき、前記規制部材が連結部材と係合して該連結部材の移動方向を周方向に規制するように構成したものである。
【００１０】
【作用】
上記機関砲弾に適用する連結リンク（以下、単に『リンク』という）では、砲弾を把持する把持部材の一部に半径方向の膨出部を形成し、この膨出部に連結部材の移動方向を規制する規制部材を配置したので、把持部材の外側であって且つ膨出部と対向する位置に取り付けた連結部材を膨出部に係合させて該連結部材の移動方向を規制することで、連結部材の膨出部からの離脱を防止することが出来る。
【００１１】
即ち、連結部材を把持部材の膨出部に係合させたとき、規制部材によって連結部材を周方向への移動を許容し半径方向への移動を阻止するように規制することで、射撃後機関砲から排出されたリンク或いは砲弾をガンドラムに搭載した後排出されたリンクが、自重によって或いは回収時の衝撃によって隣接する他のリンクから離脱することを防止することが出来る。
【００１２】
このため、リンクが絡み合うことがなく、リンクに対し新たな砲弾を装着する際の作業が容易となる。
【００１３】
【実施例】
以下、上記リンクの実施例について図を用いて説明する。図１は第１実施例に係るリンクの構成を説明する斜視図、図２は第１実施例に係るリンクを２個連結させた状態を示す斜視図、図３は図１の要部の断面図、図４は第２実施例に係るリンクを２個連結させた状態を示す斜視図、図５は図４の要部の断面図である。
【００１４】
先ず、図１〜図３により第１実施例に係るリンクＡの構成について説明する。リンクＡは、図示しない砲弾の一部を把持する把持部材１と、把持部材１の外側に取り付けられた連結部材２とによって構成されている。
【００１５】
把持部材１は、把持すべき砲弾の一部（薬莢）の外径よりも僅かに大きい径を持った半円状に形成され、長手方向の両端側に把持片１ａ，１ｂが形成されている。把持片１ａ及び把持片１ａに対応する底部１ｃには半径方向に膨出した膨出部３が形成され、把持片１ａを含む膨出部３の一方の側面から底部１ｃにかけて切欠４が形成されている。また切欠４に沿って凹溝５が形成されている。
【００１６】
把持片１ａの側面（切欠４の形成面の反対側の面）であって膨出部３の長手方向の中央には、連結部材２を取り付けるための図示しない係止孔が形成されている。
【００１７】
連結部材２は、把持部材１の把持片１ａ，底部１ｃに形成された膨出部３に対応する形状を持って形成されている。即ち、連結片２は把持部材１よりも大きい径を有する半円状に形成され、長手方向の両端には外側に屈折した突条２ａが形成されている。
【００１８】
連結部材２の一方の側面であって長手方向の中央には図示しない一対の係止突起が形成されており、該係止突起を把持部材１の把持片１ａに形成した係止孔に挿通して先端を屈折させることで、連結部材２は把持部材１に対し、リンクＡの膨出部３と対向し得る位置に取り付けられている。
【００１９】
複数のリンクＡを同一姿勢で配列し、連結部材２を隣接する把持部材１の膨出部３に係合させて突条２ａを凹溝５に嵌合させることで、リンクＡを連結して連鎖を形成することが可能である。
【００２０】
尚、リンクＡに於ける上記構成は、従来の技術の項で説明した連結リンクと同一である。把持部材１，連結部材２の寸法，形状等は規格を満足し得る条件に設定されている。
【００２１】
把持部材１の把持片１ａと対応する底部１ｃには、膨出部３に沿って凹溝５の上方に突出させた複数の突起６が形成されている。この突起６は規制部材となるものであり、膨出部３に連結部材２を係合させたとき、連結部材２の膨出部３に対する移動方向を円周方向に規制し、且つ連結部材２が把持片１ａの上端開放部方向へ移動したとき、該連結部材２と接触して上方への移動を阻止する機能を有するものである。
【００２２】
膨出部３に於ける突起６の形成範囲は特に限定するものではない。然し、前記範囲は予め設定しておくことが好ましい。例えば、把持部材１に形成された膨出部３に連結部材２を係合させた状態で、膨出部３の全範囲にわたって突起６を形成した場合、連結部材２を円周方向に移動させても膨出部３から離脱させることが不可能になり、リンクＡの連鎖数が固定される。従って、予め連鎖を構成するリンクＡの数が設定され、この数を変更することがない場合には膨出部３の全範囲にわたって突起６を形成することが好ましい。
【００２３】
また底部１ｃに１又は２の突起６を狭い範囲で形成した場合、リンクＡどうしを連結することが容易となるが、射撃後或いはガンドラムに砲弾を搭載した後の排出時に連結部材２が膨出部３に対し円周方向に移動したとき、連結部材２の端部が突起６の形成範囲から外れて離脱する虞がある。
【００２４】
本実施例では、把持部材１の底部１ｃの中央部と、その両側に所定距離離隔させた２箇所の合計３箇所に突起６を形成している。前記の如く突起６を形成することによって、射撃後或いはガンドラムに砲弾を搭載した後の排出時に連結部材２が膨出部３に対し円周方向に移動しても連結部材２が膨出部３から離脱することがなく連鎖状態を維持することが可能であり、且つ必要に応じて適宜連鎖数を変更することが可能である。
【００２５】
突起６は底部１ｃよりも把持部材１の内側に突出してはならない。従って、把持部材１の底部１ｃに突起６を形成する場合、前記条件を満足すれば如何なる方法を用いても良い。例えば、突起６を膨出部３の側壁に溶接して形成することが可能である。本実施例では、把持部材１をプレス成型によって形成するため、予め膨出部３の側壁に対応する位置に切り込みを形成し、膨出部３の成型に伴って突起６を成型している。
【００２６】
次に、図４，図５により第２実施例に係るリンクＢの構成について説明する。尚、図に於いて前述の第１実施例と同一の部分には同一の符号を付して説明を省略する。
【００２７】
本実施例では、規制部材として所定長さの棒材を円弧状に形成したバー７を用い、このバー７を膨出部３に沿って凹溝５の上方に突出させて取り付けている。このように突起６に代えてバー７を規制部材とした場合であっても、前述の第１実施例と同様に、膨出部３に係合した連結部材２の移動方向を円周方向にのみ規制すると共に、連結部材２の把持片１ａの上端開放部方向への移動を阻止することが可能である。
【００２８】
尚、バー７の長さは、第１実施例に於ける膨出部３に対する突起６の形成範囲と同様に適宜設定することが可能である。
【００２９】
【発明の効果】
以上詳細に説明したように本発明に係るリンクでは、把持部材に形成した膨出部に沿って規制部材を配置することによって膨出部に係合させた連結部材を円周方向にのみ移動し得るように規制したので、射撃後或いはガンドラムに砲弾を搭載した後、排出されたリンクは自重や排出時の衝撃によって連結部材が膨出部から離脱することがなく、他のリンクと連結された連鎖状態を維持することが出来る。
【００３０】
このため、回収されたリンクを直線状に伸ばすことによって、方向性を保持して連結された連鎖を形成することが出来る。従って、絡み合った連結リンクのほぐし作業や方向を統一させる作業、或いは多数の連結リンクを連結する組立作業を無くして省人化及び作業時間の短縮化をはかると共に使用効率を向上させてストック量の削減をはかることが出来る等の特徴を有するものである。
【図面の簡単な説明】
【図１】第１実施例に係るリンクの構成を説明する斜視図である。
【図２】第１実施例に係るリンクを２個連結させた状態を示す斜視図である。
【図３】図１の要部の断面図である。
【図４】第２実施例に係るリンクを２個連結させた状態を示す斜視図である。
【図５】図３の要部の断面図である。
【図６】従来の連結リンクの構成を説明する図である。
【符号の説明】
Ａ，Ｂ            リンク
１                把持部材
１ａ，１ｂ        把持片
１ｃ              底部
２                連結部材
３                膨出部
４                切欠
５                凹溝
６                突起
７                バー
【図１】
0003645615.tif 000002
【図２】
0003645615.tif 000003
【図３】
0003645615.tif 000004
【図４】
0003645615.tif 000005
【図５】
0003645615.tif 000006
【図６】
0003645615.tif 000007